(57)【要約】【課題】センサ素子の電極端子とバネ端子との接触導通を確保すると共に、大気側絶縁碍子を素子保持体に対して安定して配設することができるガスセンサを提供すること。【解決手段】センサ素子２と、センサ素子２を挿通保持する素子保持体３と、素子保持体３の基端側においてセンサ素子２の基端部を覆うように配設された大気側絶縁碍子４とを有するガスセンサ１。素子保持体３は、ハウジング３１と、ハウジング３１に固定された部材とからなる。センサ素子２は、基端部における一対の面にそれぞれ電極端子２１を形成してなる。大気側絶縁碍子４は、バネ端子を内部に複数配設してなり、センサ素子２と軸方向を一致させるように素子保持体３の基端側に配設されている。大気側絶縁碍子４と素子保持体３とは、大気側絶縁碍子４に形成された凸面部１１において当接しており、凸面部１１はバネ端子の付勢方向と同一方向の直線に沿って形成されている。【選択図】図１
2007155697.tif 000002
【特許請求の範囲】
【請求項１】
被測定ガス中の特定ガス濃度を検出するためのセンサ素子と、該センサ素子を挿通保持する素子保持体と、該素子保持体の基端側において上記センサ素子の基端部を覆うように配設された大気側絶縁碍子とを有するガスセンサであって、
上記素子保持体は、上記ガスセンサを上記被測定ガスの流通部に取付けるためのハウジングと、該ハウジングに固定された部材とからなり、
上記センサ素子は、基端部における一対の面にそれぞれ電極端子を形成してなり、
上記大気側絶縁碍子は、上記センサ素子の上記電極端子に接触させるためのバネ端子を内部に複数配設してなり、上記センサ素子と軸方向を一致させるように上記素子保持体の基端側に配設され、
上記大気側絶縁碍子と上記素子保持体とは、上記大気側絶縁碍子又は上記素子保持体に形成された凸面部において当接しており、該凸面部は上記バネ端子の付勢方向と同一方向の直線に沿って形成されていることを特徴とするガスセンサ。
【請求項２】
請求項１において、上記凸面部は、上記大気側絶縁碍子の先端面に形成してあることを特徴とするガスセンサ。
【請求項３】
請求項１において、上記凸面部は、上記素子保持体の基端面に形成してあることを特徴とするガスセンサ。
【請求項４】
請求項１において、上記素子保持体は、上記大気側絶縁碍子を覆うように上記ハウジングの基端側に固定した大気側カバーと、該大気側カバーの内側であると共に上記大気側絶縁碍子の外側において、上記ハウジングの基端側に固定した内側保護筒とを設けてなり、上記大気側絶縁碍子は、基端部において径方向に突出した径方向突出部を有し、該径方向突出部と上記内側保護筒の基端部とにおいて、上記大気側絶縁碍子と上記素子保持体とが当接していることを特徴とするガスセンサ。
【請求項５】
請求項４において、上記凸面部は、上記径方向突出部に形成してあることを特徴とするガスセンサ。
【請求項６】
請求項４において、上記凸面部は、上記内側保護筒の基端部に形成してあることを特徴とするガスセンサ。
【請求項７】
請求項１〜３のいずれか一項において、上記凸面部は、上記大気側絶縁碍子の先端面又は上記素子保持体の基端面に形成してあり、上記大気側絶縁碍子の先端面又は上記素子保持体の基端面からの上記凸面部の突出量をＨ、上記バネ端子の付勢方向に直交する方向における上記大気側絶縁碍子の先端面の幅と上記素子保持体の基端面の幅とのうちの短い方の幅をＷとしたとき、Ｈ／Ｗ＞０．０１が成り立つことを特徴とするガスセンサ。
【発明の詳細な説明】
【技術分野】
【０００１】
本発明は、被測定ガス中の特定ガス濃度を検出するガスセンサに関する。
【背景技術】
【０００２】
従来より、自動車の内燃機関等の排気系には、排ガス中の酸素や窒素酸化物等の特定ガスの濃度を測定するガスセンサが配設されている。このようなガスセンサ９として、図１４に示すごとく、被測定ガス中の特定ガス濃度を検出するための板棒状のセンサ素子９２を、素子側絶縁碍子９３に挿通保持させてなるものがある（特許文献１参照）。そして、素子側絶縁碍子９３は、ハウジング９４の内側に保持されている。素子側絶縁碍子９３の基端側には、センサ素子９２の基端部を覆うように配設された大気側絶縁碍子９５が配設され、該大気側絶縁碍子９５を覆うように大気側カバー９６がハウジング９４の基端側に設けてある。
【０００３】
上記センサ素子９２の基端部には、検出部と電気的に接続された電極端子９２１が形成されている。また、大気側絶縁碍子９５の内部には、上記電極端子９２１に接触させて、電極端子９２１とリード線９７１との導通を図るためのバネ端子９７２が配設されている。それ故、大気側絶縁碍子９５をセンサ素子９２の基端部を覆うように配設したとき、バネ端子９７２が電極端子９２１に接触するように構成されている。
【０００４】
ここで、センサ素子９２は、ハウジング９４及び素子側絶縁碍子９３からなる素子保持体９３４の軸方向に対して斜めの状態で保持されることもある。この場合、図１５に示すごとく、大気側絶縁碍子９５の先端面９５１を、素子保持体９３４の基端面９３５に面接触させた状態で、大気側絶縁碍子９５を配設しようとすると、大気側絶縁碍子９５の内部に配されたバネ端子９７２とセンサ素子９２の電極端子９２１との位置関係がずれてしまい、場合によっては、バネ端子９７２と電極端子９２１との接触不良を招くおそれがある。
【０００５】
また、センサ素子９２の小型化の要請から、センサ素子９２の幅の狭小化が求められることがある。かかるセンサ素子９２においては、電極端子９２１の幅も狭くする必要がある。このように、電極端子９２１の幅が小さい場合には、上記のような接触不良がより生じやすくなる。
【０００６】
このような接触不良を回避するために、図１６に示すごとく、大気側絶縁碍子９５とその内部に挿入したセンサ素子９２の基端部との間のクリアランスを小さくすることも考えられる。しかし、上記のようにセンサ素子９２が素子保持体９３４に対して斜めに配設されたとき、素子保持体９３４を基準に大気側絶縁碍子９５を配設すると、センサ素子９２の基端部と大気側絶縁碍子９５の内側面とが干渉してしまうおそれがある。その結果、センサ素子９２に損傷を与えるおそれがある。
【０００７】
そこで、図１７に示すごとく、大気側絶縁碍子９５を、素子保持体９３４ではなくセンサ素子９２を基準にして配置することにより、電極端子９２１とバネ端子９７２との接触導通を確保すると共に、センサ素子９２と大気側絶縁碍子９５との干渉を防ぐことが考えられる。即ち、センサ素子９２が素子保持体９３４に対して斜めに固定された場合にも、センサ素子９２の軸方向と大気側絶縁碍子９５の軸方向とを一致させ、大気側絶縁碍子９５を素子保持体９３４に対して浮いた状態とする。
【０００８】
ところが、大気側絶縁碍子９５が素子保持体９３４に対して浮いた状態にあると、大気側絶縁碍子９５が不安定になる。そして、特に組み付け時において、大気側絶縁碍子９５の先端角部９５２等が素子保持体９３４に接触して、損傷が生じるおそれがある。
【０００９】
【特許文献１】特開２００３−２９４６８４号公報
【発明の開示】
【発明が解決しようとする課題】
【００１０】
本発明は、かかる従来の問題点に鑑みてなされたもので、センサ素子の電極端子とバネ端子との接触導通を確保すると共に、大気側絶縁碍子を素子保持体に対して安定して配設することができるガスセンサを提供しようとするものである。
【課題を解決するための手段】
【００１１】
本発明は、被測定ガス中の特定ガス濃度を検出するためのセンサ素子と、該センサ素子を挿通保持する素子保持体と、該素子保持体の基端側において上記センサ素子の基端部を覆うように配設された大気側絶縁碍子とを有するガスセンサであって、
上記素子保持体は、上記ガスセンサを上記被測定ガスの流通部に取付けるためのハウジングと、該ハウジングに固定された部材とからなり、
上記センサ素子は、基端部における一対の面にそれぞれ電極端子を形成してなり、
上記大気側絶縁碍子は、上記センサ素子の上記電極端子に接触させるためのバネ端子を内部に複数配設してなり、上記センサ素子と軸方向を一致させるように上記素子保持体の基端側に配設され、
上記大気側絶縁碍子と上記素子保持体とは、上記大気側絶縁碍子又は上記素子保持体に形成された凸面部において当接しており、該凸面部は上記バネ端子の付勢方向と同一方向の直線に沿って形成されていることを特徴とするガスセンサにある（請求項１）。
【００１２】
次に、本発明の作用効果につき説明する。
上記ガスセンサにおいては、上記大気側絶縁碍子が、センサ素子と軸方向を一致させるように上記素子保持体の基端側に配設されている。即ち、大気側絶縁碍子は、素子保持体ではなくセンサ素子を基準に配設されている。これにより、センサ素子が素子保持体に対して斜めになっていても、センサ素子に合わせて大気側絶縁碍子を配設するため、大気側絶縁碍子のバネ端子がセンサ素子の電極端子からずれることはなく、バネ端子と電極端子との接触導通を確保することができる。
【００１３】
また、上記大気側絶縁碍子又は上記素子保持体には上記凸面部が形成されており、該凸面部において大気側絶縁碍子と素子保持体とが当接している。そのため、大気側絶縁碍子は、上記凸面部において素子保持体に支承される状態となり、安定して配設することができる。そして、凸面部において大気側絶縁碍子が素子保持体に当接しているため、素子保持体に対する大気側絶縁碍子の角度を自由に変化させることができる。その結果、センサ素子の傾斜具合に応じて大気側絶縁碍子を傾斜させることができる。
【００１４】
そして、凸面部はバネ端子の付勢方向と同一方向の直線に沿って形成されているため、バネ端子の付勢方向に直交する方向、即ちセンサ素子の電極端子の幅方向についての傾斜に対応して、大気側絶縁碍子を傾斜させることができる。そのため、バネ端子と電極端子との接触導通を充分に確保することができる。
【００１５】
以上のごとく、本発明によれば、センサ素子の電極端子とバネ端子との接触導通を確保すると共に、大気側絶縁碍子を素子保持体に対して安定して配設することができるガスセンサを提供することができる。
【発明を実施するための最良の形態】
【００１６】
本発明（請求項１）において、上記ハウジングに固定された部材とは、例えば、ハウジングの内側に保持され上記センサ素子を挿通保持する素子側絶縁碍子等、ハウジングに直接又は間接的に固定された各種部材をいうが、センサ素子は含まない。
また、上記凸面部としては、円弧形状、三角形状、四角形状等種々の形状の凸面部があり、また、素子側絶縁碍子の先端面または素子保持体の基端面の全体にわたって円弧形状や三角形状等を構成して、上記凸面部とすることもできる。
なお、本明細書においては、ガスセンサについて、被測定ガスに曝される側を先端側、その反対側を基端側として説明する。
【００１７】
また、上記凸面部は、上記大気側絶縁碍子の先端面に形成することができる（請求項２）。
この場合には、上記凸面部を容易かつ確実に形成することができ、該凸面部において、大気側絶縁碍子を素子保持体に安定して支承させることができる。
【００１８】
また、上記凸面部は、上記素子保持体の基端面に形成することもできる（請求項３）。
この場合にも、上記凸面部を容易かつ確実に形成することができ、該凸面部において、大気側絶縁碍子を素子保持体に安定して支承させることができる。
【００１９】
また、上記素子保持体は、上記大気側絶縁碍子を覆うように上記ハウジングの基端側に固定した大気側カバーと、該大気側カバーの内側であると共に上記大気側絶縁碍子の外側において、上記ハウジングの基端側に固定した内側保護筒とを設けてなり、上記大気側絶縁碍子は、基端部において径方向に突出した径方向突出部を有し、該径方向突出部と上記内側保護筒の基端部とにおいて、上記大気側絶縁碍子と上記素子保持体とが当接していてもよい（請求項４）。
この場合にも、センサ素子の電極端子とバネ端子との接触導通を確保すると共に、大気側絶縁碍子を素子保持体に対して安定して配設することができる。
【００２０】
また、上記凸面部は、上記径方向突出部に形成することができる（請求項５）。
この場合には、センサ素子の電極端子とバネ端子との接触導通を確保すると共に、大気側絶縁碍子を素子保持体に対して安定して配設することができる。
【００２１】
また、上記凸面部は、上記内側保護筒の基端部に形成することもできる（請求項６）。
この場合にも、センサ素子の電極端子とバネ端子との接触導通を確保すると共に、大気側絶縁碍子を素子保持体に対して安定して配設することができる。
【００２２】
また、上記凸面部は、上記大気側絶縁碍子の先端面又は上記素子保持体の基端面に形成してあり、上記大気側絶縁碍子の先端面又は上記素子保持体の基端面からの上記凸面部の突出量をＨ、上記バネ端子の付勢方向に直交する方向における上記大気側絶縁碍子の先端面の幅と上記素子保持体の基端面の幅とのうちの短い方の幅をＷとしたとき、Ｈ／Ｗ＞０．０１が成り立つことが好ましい（請求項７）。
【００２３】
この場合には、上記センサ素子が損傷することを防ぐことができる。即ち、センサ素子は、素子保持体に対して１°程度傾斜することがあるが、その場合にも上記のごとくＨ／Ｗ＞０．０１であれば、大気側絶縁碍子と素子保持体とが凸面部以外の部分において当接することを防ぐことができる。つまり、凸面部において大気側絶縁碍子と素子保持体とを当接させることができ、ひいては、大気側絶縁碍子が素子保持体から浮いた状態となることを防ぐことができる。これにより、センサ素子に対して、大気側絶縁碍子からの衝撃や荷重等の力が作用することを抑制することができる。その結果、センサ素子が損傷することを防ぐことができる。
【実施例】
【００２４】
（実施例１）
本発明の実施例にかかるガスセンサにつき、図１〜図６を用いて説明する。
本例のガスセンサ１は、図１、図２に示すごとく、被測定ガス中の特定ガス濃度を検出するためのセンサ素子２と、該センサ素子２を挿通保持する素子保持体３と、該素子保持体３の基端側において上記センサ素子２の基端部を覆うように配設された大気側絶縁碍子４とを有する。
【００２５】
素子保持体３は、ガスセンサ２を被測定ガスの流通部に取付けるためのハウジング３１と、該ハウジング３１に固定された部材、即ち素子側絶縁碍子３２とからなる。素子側絶縁碍子３２は、ハウジング３１の内側に保持されセンサ素子２を挿通保持する。
センサ素子２は、図３に示すごとく、基端部における一対の面にそれぞれ電極端子２１を形成してなる。
【００２６】
大気側絶縁碍子４は、図２、図４に示すごとく、センサ素子２の電極端子２１に接触させるためのバネ端子４１を内部に複数配設してなる。また、図３に示すごとく、大気側絶縁碍子４は、センサ素子２と軸方向を一致させるように素子保持体３の基端側に配設されている。
そして、大気側絶縁碍子４と素子保持体３とは、大気側絶縁碍子４の先端面４０１に形成された凸面部１１において当接している。
【００２７】
図６に示すごとく、凸面部１１はバネ端子４１の付勢方向（矢印ｆ）と同一方向の直線に沿って形成されている。
具体的には、センサ素子２の中心軸を通ると共に、電極端子２１が形成された面に対して直交する直線に沿って、大気側絶縁碍子４の先端面４０１の２箇所に、上記凸面部１１が形成されている。なお、図６は、バネ端子４１の位置にバネ端子４１の付勢力を矢印ｆによって表した模式図である。
【００２８】
また、本例においては、凸面部１１は、図３、図５（Ａ）に示すごとく、半円形状に形成されている。ただし、凸面部１１は、図５（Ｂ）のような略三角形状、図５（Ｃ）のような台形状とすることもできる。更には、図５（Ｄ）、（Ｅ）に示すごとく、素子側絶縁碍子４の先端面４０１の全体にわたって三角形状や円弧形状を構成して、凸面部１１とすることもできる。
また、凸面部１１は、素子側絶縁碍子４の先端面４０１から０．３〜３．０ｍｍ突出している。
【００２９】
大気側絶縁碍子５は、例えばアルミナ（Ａｌ2Ｏ3）、ステアタイト（ＭｇＯ・ＳｉＯ2）等のセラミックからなる。
センサ素子２は、アルミナ（Ａｌ2Ｏ3）やジルコニア（ＺｒＯ2）等のセラミック板を積層して構成した積層型の素子であって、被測定ガス中の特定ガスの濃度（例えば内燃機関の排ガス中の酸素濃度や窒素酸化物濃度等）を検出するセンサセルと、該センサセルの温度を調整するためのヒータとを一体的に設けてなる（図示略）。
そして、上記電極端子２１は合計４個形成されており、そのうちの２個は上記センサセルに電気的に接続され、他の２個は上記ヒータに電気的に接続されている。
【００３０】
図１、図２に示すごとく、センサ素子２は、素子側絶縁碍子３２に挿通されており、センサ素子２と素子側絶縁碍子３２との間は、ガラス封止材３３によって封止されると共に固定されている。また、素子側絶縁碍子３２はハウジング３１に保持され、素子側絶縁碍子３とハウジング３１との間には、リング状のパッキン材３４が配設されている。そして、素子側絶縁碍子３２の基端側は、ハウジング３１の基端部によって、リング状の皿バネ３５を介して、かしめ固定されている。
【００３１】
また、図２、図４に示すごとく、大気側絶縁碍子４の内側に配された４個のバネ端子４１は、センサ素子２の基端部を挟持するように、各電極端子２１に接触している。そして、各バネ端子４１は、それぞれリード線４２に接続されている。
また、図１、図２に示すごとく、ハウジング３１の基端側には、大気側絶縁碍子４を覆うように大気側カバー３６が固定されている。また、ハウジング３１の先端側には、センサ素子２の先端部を保護するための保護カバー３７が固定されている。
【００３２】
次に、本例の作用効果につき説明する。
上記ガスセンサ１においては、大気側絶縁碍子４が、センサ素子２と軸方向を一致させるように素子保持体３の基端側に配設されている。即ち、図３に示すごとく、大気側絶縁碍子４は、素子保持体３ではなくセンサ素子２を基準に配設されている。これにより、センサ素子２が素子保持体３に対して斜めになっていても、センサ素子２に合わせて大気側絶縁碍子４を配設するため、大気側絶縁碍子４のバネ端子４１がセンサ素子２の電極端子２１からずれることはなく、バネ端子４１と電極端子２１との接触導通を確保することができる。
【００３３】
また、大気側絶縁碍子４には上記凸面部１１が形成されており、該凸面部１１において大気側絶縁碍子４と素子保持体３とが当接している。そのため、大気側絶縁碍子４は、凸面部１１において素子保持体３に支承される状態となり、安定して配設することができる。そして、凸面部１１において大気側絶縁碍子４が素子保持体３に当接しているため、素子保持体３に対する大気側絶縁碍子４の角度を自由に変化させることができる。その結果、センサ素子２の傾斜具合に応じて大気側絶縁碍子４を傾斜させることができる。
【００３４】
そして、凸面部１１はバネ端子４１の付勢方向と同一方向の直線に沿って形成されているため、バネ端子４１の付勢方向に直交する方向、即ちセンサ素子２の電極端子２１の幅方向についての傾斜に対応して、大気側絶縁碍子４を傾斜させることができる。そのため、バネ端子４１と電極端子２１との接触導通を充分に確保することができる。
【００３５】
以上のごとく、本例によれば、センサ素子の電極端子とバネ端子との接触導通を確保すると共に、大気側絶縁碍子を素子保持体に対して安定して配設することができるガスセンサを提供することができる。
【００３６】
（実施例２）
本例は、図７、図８に示すごとく、素子保持体３の基端面に凸面部１１を形成したガスセンサ１の例である。
本例のガスセンサ１は、素子保持体３を構成する素子側絶縁碍子３２の基端部がハウジング３１の基端部よりも基端側へ突出している。また、素子側絶縁碍子３２は、部分的に外径の大きい径大部３２１を有する。そして、該径大部３２１の基端側において、素子側絶縁碍子３２とハウジング３１との間には、シール材３３１、絶縁部材３３２、及び金属リング３３３を積層配置した上で、ハウジング３１の基端部によって、これらを加締め固定している。これにより、素子側絶縁碍子３２とハウジング３１との間の隙間を密閉すると共に、両者を固定する。
【００３７】
上記凸面部１１は、上記のように構成された素子保持体３における素子側絶縁碍子３２の基端面に形成されている。そして、凸面部１１に対して大気側絶縁碍子４の先端面４０１が当接している。
その他は、実施例１と同様である。
【００３８】
本例の場合にも、上記凸面部１１を容易かつ確実に形成することができ、該凸面部１１において、大気側絶縁碍子４を素子保持体３に安定して支承させることができる。
その他、実施例１と同様の作用効果を有する。
【００３９】
（実施例３）
本例は、図９〜図１１に示すごとく、大気側カバー３６の内側に配設した内側保護筒３６１の基端部３６２に、大気側絶縁碍子４を当接させたガスセンサ１の例である。
即ち、ガスセンサ１の素子保持体３０は、大気側カバー３６の内側であると共に大気側絶縁碍子４の外側において、ハウジング３１の基端側に固定した内側保護筒３６１を設けてなる。
【００４０】
図１０、図１１に示すごとく、大気側絶縁碍子４は、基端部において径方向に突出した径方向突出部４３を有し、該径方向突出部４３と内側保護筒３６１の基端部３６２とにおいて、大気側絶縁碍子４と素子保持体３０とが当接している。即ち、径方向突出部４３における内側保護筒３６１との当接面に、凸面部１１が形成されている。
その他は、実施例１と同様である。
【００４１】
本例の場合にも、センサ素子２の電極端子２１とバネ端子４１との接触導通を確保すると共に、大気側絶縁碍子４を素子保持体３０に対して安定して配設することができる。
その他、実施例１と同様の作用効果を有する。
【００４２】
なお、上記実施例３と同様に、内側保護筒３６１の基端部３６２に大気側絶縁碍子４の径方向突出部４３を当接させた構成において、径方向突出部４３には凸面部を設けずに、内側保護筒３６１の基端面３６２に凸面部を形成してもよい。
【００４３】
（実施例４）
本例は、図１２、図１３に示すごとく、バネ端子４１の付勢方向に直交する方向における大気側絶縁碍子４の先端面４０１の幅及び素子保持体３の基端面３０１の幅と、凸面部１１の突出量との関係を規定したガスセンサ１の例である。
本例では、凸面部１１は、大気側絶縁碍子４の先端面４０１に設けてある。そして、大気側絶縁碍子４の先端面４０１からの凸面部１１の突出量はＨである。
【００４４】
図１２に示すガスセンサ１は、大気側絶縁碍子４の幅よりも素子保持体３の幅の方が大きい。この場合において、バネ端子４１の付勢方向に直交する方向における大気側絶縁碍子４の先端面４０１の幅をＷとしたとき、Ｈ／Ｗ＞０．０１が成り立つ。
また、図１３に示すガスセンサ１は、素子保持体３の幅よりも大気側絶縁碍子４の幅の方が大きい。この場合において、バネ端子４１の付勢方向に直交する方向における素子保持体３の基端面３０１の幅をＷとしたとき、Ｈ／Ｗ＞０．０１が成り立つ。
その他は、実施例１と同様である。
【００４５】
本例の場合には、センサ素子２が損傷することを防ぐことができる。即ち、センサ素子２は、素子保持体３に対して１°程度傾斜することがあるが、その場合にも上記のごとくＨ／Ｗ＞０．０１であれば、大気側絶縁碍子４と素子保持体３とが凸面部１１以外の部分において当接することを防ぐことができる。つまり、凸面部１１において大気側絶縁碍子４と素子保持体３とを当接させることができ、ひいては、大気側絶縁碍子４が素子保持体３から浮いた状態となることを防ぐことができる。これにより、センサ素子２に対して、大気側絶縁碍子４からの衝撃や荷重等の力が作用することを抑制することができる。その結果、センサ素子２が損傷することを防ぐことができる。
その他、実施例１と同様の作用効果を有する。
【００４６】
尚、凸面部１１が素子保持体３の基端面３０１に形成されていても同様の結果が得られる。
また、実用上は、センサ素子２の傾きを５°程度見込んで、Ｈ／Ｗ＝０．２程度に設定することが好ましい。
【図面の簡単な説明】
【００４７】
【図１】実施例１における、ガスセンサの縦断面図。
【図２】実施例１における、図１のＡ−Ａ線矢視断面相当の部分断面図。
【図３】実施例１における、センサ素子と大気側絶縁碍子との配設状態を示す説明図。
【図４】実施例１における、大気側絶縁碍子の先端部の平面図及び側面図。
【図５】実施例１における、大気側絶縁碍子の先端部に設けた凸面部の説明図。
【図６】実施例１における、バネ端子の付勢力を示す説明図。
【図７】実施例２における、ガスセンサの縦断面図。
【図８】図７のＢ−Ｂ線矢視断面図。
【図９】実施例３における、ガスセンサの縦断面図。
【図１０】実施例３における、図９のＣ−Ｃ線矢視断面相当の部分断面図。
【図１１】図１０のＤ−Ｄ線矢視断面図。
【図１２】実施例４における、大気側絶縁碍子よりも素子保持体の方が幅が大きいときのセンサ素子と大気側絶縁碍子との配設状態を示す説明図。
【図１３】実施例４における、素子保持体よりも大気側絶縁碍子の方が幅が大きいときのセンサ素子と大気側絶縁碍子との配設状態を示す説明図。
【図１４】従来例における、ガスセンサの縦断面図。
【図１５】従来例における、センサ素子が傾斜して配設された状態を示す説明図。
【図１６】従来例における、センサ素子と大気側絶縁碍子とのクリアランスを狭めた状態を示す説明図。
【図１７】従来例における、センサ素子を基準に大気側絶縁碍子を配設した状態を示す説明図。
【符号の説明】
【００４８】
１  ガスセンサ
１１  凸面部
２  センサ素子
２１  電極端子
３  素子保持体
３１  ハウジング
３２  素子側絶縁碍子
４  大気側絶縁碍子
４０１  先端面
４１  バネ端子
【図１】
2007155697.tif 000003
【図２】
2007155697.tif 000004
【図３】
2007155697.tif 000005
【図４】
2007155697.tif 000006
【図５】
2007155697.tif 000007
【図６】
2007155697.tif 000008
【図７】
2007155697.tif 000009
【図８】
2007155697.tif 000010
【図９】
2007155697.tif 000011
【図１０】
2007155697.tif 000012
【図１１】
2007155697.tif 000013
【図１２】
2007155697.tif 000014
【図１３】
2007155697.tif 000015
【図１４】
2007155697.tif 000016
【図１５】
2007155697.tif 000017
【図１６】
2007155697.tif 000018
【図１７】
2007155697.tif 000019